(57)【要約】【課題】生体組織に類似の物性を示すと共に、超音波を照射した際に内部に形成された疑似血管を断層画像にて確認することができるカテーテル挿入訓練具を提供する。【解決手段】カテーテル挿入訓練具１は、３８５０〜４２７０質量部の範囲のコンニャク芋粉と、１９０〜２２０質量部の範囲の海草粉と、１５０〜１８０質量部の範囲の海藻粉との混合物に、２００〜２４０質量部の範囲の水酸化カルシウムと、１１００００〜１３００００質量部の水とを添加して、固化させた板状のコンニャク２と、コンニャク２の長さ方向に沿って一方の側面２ａから他方の側面２ｂに貫通する複数の管部３からなる疑似血管とを備える。【選択図】  図１
2014106245.tif 000002
【特許請求の範囲】
【請求項１】
３８５０〜４２７０質量部の範囲のコンニャク芋粉と、１９０〜２２０質量部の範囲の海草粉と、１５０〜１８０質量部の範囲の海藻粉との混合物に、２００〜２４０質量部の範囲の水酸化カルシウムと、１１００００〜１３００００質量部の水とを添加して、固化させた板状のコンニャクと、
該コンニャクの長さ方向に沿って一方の側面から他方の側面に貫通する複数の管部からなる疑似血管とを備えることを特徴とするカテーテル挿入訓練具。
【請求項２】
請求項１記載のカテーテル挿入訓練具において、前記コンニャクは２００〜３００ｍｍの範囲の長さを備えることを特徴とするカテーテル挿入訓練具。
【発明の詳細な説明】
【技術分野】
【０００１】
本発明は、カテーテル挿入訓練具に関する。
【背景技術】
【０００２】
従来、医師、医学生、看護師、看護学生等がカテーテルを血管に挿入するための教育訓練等に用いられるカテーテル挿入訓練具が種々提案されている。
【０００３】
前記カテーテル挿入訓練具として、例えば、弾性体を素材とした疑似上腕体の表層部に疑似血管としての弾性チューブを埋設したものが知られている（例えば、特許文献１参照）。
【０００４】
前記特許文献１には、前記疑似上腕体を形成する弾性体について例示はないが、超音波療法等に用いるファントム（疑似生体模型）の素材としてコンニャクを用いることが知られている（例えば、特許文献２参照）。特許文献２の記載によれば、コンニャクは９６〜９８質量％の水分を含むことから生体組織に類似の物性を示すとされているが、その一方で生体の軟組織の含有水分７０〜８０質量％に比して含水率が過大であり、必ずしも満足できないことが指摘されている。
【先行技術文献】
【特許文献】
【０００５】
【特許文献１】実開平２−５３０６７号公報
【特許文献２】特開昭６２−２４９６４４号公報
【発明の概要】
【発明が解決しようとする課題】
【０００６】
また、近年、静脈に対する穿刺針の穿刺の際に超音波を照射して静脈の位置を確認することが行われており、疑似生体模型においても超音波を照射した際に内部に形成された疑似血管を断層画像にて確認できることが望まれる。
【０００７】
しかしながら、素材にコンニャクを用いた疑似生体模型では、超音波を照射した際に内部に形成された疑似血管を断層画像にて確認することが難しいという不都合がある。
【０００８】
本発明は、かかる不都合を解消して、生体組織に類似の物性を示すと共に、超音波を照射した際に内部に形成された疑似血管を断層画像にて確認することができるカテーテル挿入訓練具を提供することを目的とする。
【課題を解決するための手段】
【０００９】
かかる目的を達成するために、本発明のカテーテル挿入訓練具は、３８５０〜４２７０質量部の範囲のコンニャク芋粉と、１９０〜２２０質量部の範囲の海草粉と、１５０〜１８０質量部の範囲の海藻粉との混合物に、２００〜２４０質量部の範囲の水酸化カルシウムと、１１００００〜１３００００質量部の水とを添加して、固化させた板状のコンニャクと、該コンニャクの長さ方向に沿って一方の側面から他方の側面に貫通する複数の管部からなる疑似血管とを備えることを特徴とする。
【００１０】
本発明のカテーテル挿入訓練具は、前記コンニャクの長さ方向に沿って一方の側面から他方の側面に貫通する複数の管部からなる疑似血管を備えている。そこで、前記コンニャクの表層部から前記管部に穿刺針を穿刺することにより、カテーテルの挿入訓練に用いることができる。
【００１１】
また、本発明のカテーテル挿入訓練具は、前記範囲の材料を用いて固化させたコンニャクからなるので、生体組織に類似の物性を示し、穿刺針を穿刺する際に生体に類似した感触を得ることができると共に、超音波を照射した際に内部に形成された疑似血管を断層画像にて確認することができる。
【００１２】
このとき、本発明のカテーテル挿入訓練具は、前記コンニャクが２００〜３００ｍｍの範囲の長さを備えることが好ましい。前記コンニャクが前記範囲の長さを備えることにより、２００ｍｍ以上のカテーテルの挿入深さを確保することができる。
【図面の簡単な説明】
【００１３】
【図１】本発明のカテーテル挿入訓練具の一構成例を示す斜視図。
【図２】本発明のカテーテル挿入訓練具及び比較例のカテーテル挿入訓練具に超音波を照射した際の断層画像。
【発明を実施するための形態】
【００１４】
次に、添付の図面を参照しながら本発明の実施の形態についてさらに詳しく説明する。
【００１５】
図１に示すように、本実施形態のカテーテル挿入訓練具１は、板状のコンニャク２の長さ方向に沿って一方の側面２ａから他方の側面２ｂに貫通する２本の管部３を備えている。
【００１６】
コンニャク２は、例えば、Ａ４版に相当する２８０ｍｍ×１９５ｍｍの大きさと、４０ｍｍの厚さを備えており、管部３は例えば表層部から１０ｍｍの深さと、３０ｍｍの深さとに設けられている。前記表層部から１０ｍｍの深さの管部３は頸静脈を想定したものであり、３０ｍｍの深さの管部３は鎖骨下の静脈を想定したものである。
【００１７】
本実施形態のカテーテル挿入訓練具１は、例えば、次のようにして作製することができる。
【００１８】
３８５０〜４２７０質量部の範囲のコンニャク芋粉と、１９０〜２２０質量部の範囲の海草粉と、１５０〜１８０質量部の範囲の海藻粉とを混合して、原料混合物を得る。前記コンニャク芋粉は、コンニャク芋の球茎を粉状にしたものであり、単に球茎を粉砕した荒粉でもよく、主成分であるグルコマンナンを精製した精粉であってもよい。
【００１９】
前記海草粉は、アマモ科、ベニアマモ科、トチカガミ科、イトクズモ科、カワツルモ科、ヒルムシロ科等に属する海草を粉状にしたものである。また、前記海藻粉は、褐藻類、紅藻類、緑藻類等に属する海藻を粉状にしたものであり、例えば褐藻類のヒジキを粉状にしたものを挙げることができる。
【００２０】
次に、前記原料混合物に、２００〜２４０質量部の範囲の水酸化カルシウムと、１１００００〜１３００００質量部の水とを添加して、固化させることにより、板状のコンニャク２を得る。
【００２１】
次に、コンニャク２に、その一方の側面２ａから他方の側面２ｂまで、例えば直径１５ｍｍのパイプを挿通することにより管部３を形成し、カテーテル挿入訓練具１とする。
【００２２】
カテーテル挿入訓練具１は、管部３を疑似血管として、コンニャク２の表層部から管部３に穿刺針を穿刺することにより、カテーテルの挿入訓練に用いることができる。このとき、コンニャク２は、前記組成の原料混合物と、水酸化カルシウムと水とからなるので、生体組織に類似の物性を示し、穿刺針を穿刺する際に生体に類似した感触を得ることができる。
【００２３】
前記穿刺針を穿刺する際には、コンニャク２の表層部に超音波スキャナを当接し、超音波を照射して断層画像により管部３の位置の確認を行う。コンニャク２は、前記組成の原料混合物と、水酸化カルシウムと水とからなるので、管部３の位置を前記断層画像における黒丸状部として容易に確認することができる。
【００２４】
次に、実施例として４０６０ｇのコンニャク芋粉と、２０７ｇの海草粉と、１６７ｇの海藻粉とを混合して原料混合物とし、該原料混合物に２２０ｇの水酸化カルシウムと、１１５．３５ｋｇの水とを添加して固化させたコンニャク２を用いて作製したカテーテル挿入訓練具１に超音波を照射したときに得られた断層画像を図２（ａ）に示す。
【００２５】
また、比較例として市販のコンニャクを用いて作製したカテーテル挿入訓練具１に超音波を照射したときに得られた断層画像を図２（ｂ）に示す。
【００２６】
図２（ａ）、（ｂ）から、実施例のカテーテル挿入訓練具１では管部３の位置を黒丸状部として容易に確認することができるのに対し、比較例のカテーテル挿入訓練具１では管部３の位置を確認できないことが明らかである。
【００２７】
本実施形態のカテーテル挿入訓練具１は単独で提供されてもよいが、カテーテル挿入訓練具１を密封パックとしてケース下段に収容すると共に、カテーテル挿入訓練に用いる穿刺針（ニードル）、シリンジ、ディスペンサー、ガイドワイヤー、ダイレータをケース上段に同梱して、カテーテル挿入訓練キットとして提供されてもよい。
【符号の説明】
【００２８】
１…カテーテル挿入訓練具、  ２…コンニャク、  ３…管部（疑似血管）。
【図１】
2014106245.tif 000003
【図２】
2014106245.tif 000004